(57)【特許請求の範囲】
【請求項１】
熱可塑性樹脂より成るリサイクル可能な部品を有する製品において、該部品に対して相溶性を有する熱可塑性樹脂より成り、かつ前記部品に貼着されていて、該部品から剥離することなく当該部品を再生処理できることを示すマークが表示されているデカルと、該マークの意味する内容が表示された表示部材とを具備することを特徴とする製品。
【請求項２】
前記表示部材が、前記マークの意味する内容を表面に表示して成るシート状部材によって構成されている請求項１に記載の製品。
【請求項３】
前記デカルと前記シート状部材が、同一のリサイクル可能な部品に貼着され、該シート状部材も前記部品に対して相溶性を有する熱可塑性樹脂で構成されている請求項２に記載の製品。
【請求項４】
前記シート状部材には、前記マークの意味する内容以外の情報も表示されている請求項２又は３に記載の製品。
【請求項５】
前記シート状部材は、前記デカルが貼着されたリサイクル可能な部品と、その他の部品の少なくとも一方に離脱可能に取り付けられている請求項２又は４に記載の製品。
【請求項６】
前記シート状部材が、製品の内部側に設けられている請求項２乃至５のいずれかに記載の製品。
【請求項７】
熱可塑性樹脂より成るリサイクル可能な部品を有する製品において、該部品に対して相溶性を有する熱可塑性樹脂より成り、かつ前記部品に貼着されていて、該部品から剥離することなく当該部品を再生処理できることを示すマークが表示されているデカルを具備し、前記リサイクル可能な部品と、その他の部品の少なくとも一方に、前記マークの意味する内容が直に表示されていることを特徴とする製品。
【請求項８】
前記リサイクル可能な部品と、その他の部品の少なくとも一方に、前記マークの意味する内容が直に印刷によって表示されている請求項７に記載の製品。
【請求項９】
前記リサイクル可能な部品と、その他の樹脂製の部品の少なくとも一方に、前記マークの意味する内容が、当該部品への成形によって表示されている請求項７に記載の製品。
【発明の詳細な説明】
【０００１】
【産業上の利用分野】
本発明は、熱可塑性樹脂より成るリサイクル可能な部品を有する製品に関するものである。
【０００２】
【従来の技術】
複写機、プリンタ、ファクシミリ又はこれらの複合機より成る画像形成装置や、その他の電子機器などの各種の製品が市場に出まわり、多くのユーザによって使用されている。このような製品には、その部品にデカルと称せられているシート状部片が貼着されている。かかるデカルは、例えば樹脂シート、樹脂フィルム又は薄い樹脂板等の可撓性又は剛性を有するシート状部片より成り、その表面に所定の情報が表示されている。より具体的に示すと、例えば複写機において、そのユーザやサービスマンなどのために簡単な取り扱い説明文や、部品交換順序の番号などの各種の情報が記入されたデカルが複写機の部品に貼り付けられている。デカルの表面に表示される情報は、文字によるほか、矢印などの記号や図形、又は色などによっても表わされる。
【０００３】
ところで、特に近年、環境の保護や、一層の資源の有効利用を図る目的で、リサイクル性に優れた製品の出現が強く要望されている。
【０００４】
そこで、従来より各種製品の部品を熱可塑性樹脂により構成し、これを使用し尽したとき、これを廃棄せずに、当該部品を再生利用することが行われている。例えば、使用し終えた部品をシュレッダによってペレット状に破砕し、これを加熱溶融して再び何らかの樹脂部品として成形し、かかる再生成形品を再使用するのである。
【０００５】
ところが、上述のように、リサイクル可能な部品に前述のデカルが貼着されていて、そのデカルと部品とが互いに相溶性のない異種材料によって構成されていると、デカルを貼着したままの部品をそのまま破砕して溶融したとき、両者が互いに溶け合わず、かかる溶融材料によって得た再生成形品は、その機械的強度が著しく低く、これを再利用することは困難となる。
【０００６】
かかる不具合を回避するには、使用し終えた部品を再生処理する前にその部品に貼着されているデカルをグラインダなどによって強制的に剥離し、両者を別々に再生処理する必要がある。ところが、このように部品からデカルを剥がす作業は手間と時間のかかる大変面倒な作業であり、これによって部品の再生コストが上昇する欠点を免れない。
【０００７】
そこで、本出願人は、部品とこれに貼着されたデカルを互いに相溶性のある熱可塑性樹脂から構成し、しかもそのデカルに、当該デカルを部品から剥離することなく、そのままその部品を再生処理できる旨の文字情報を表示する構成を提案した（特願平６−１９２１５２号）。この構成によれば、デカルと部品が相溶性を有しているので、デカルを部品から剥がすことなく、これをそのまま再生処理しても、再生された成形品の強度を高く保つことができる。しかも、デカルにはこれを部品から剥離しなくともよい旨の文字情報が記入されているので、回収処理業者などのリサイクル業者が、デカルを部品から剥がすことなく、その部品を再生処理すべきことを直ちに知ることができ、その作業能率を高めることができる。
【０００８】
上述した文字情報は、例えば「このシートが貼られた部品は、このシートを剥がさずにそのままリサイクルできます」なる文言をデカルに表示したものであるが、デカルには、その本来の目的である所定の情報、例えば前述の取り扱い説明文や、部品交換順序の番号などが表示されているので、デカルのサイズが小さいときは、シートを剥がさなくともよい旨の上記文字情報をそのデカルに表示できないことがある。
【０００９】
またデカルの貼着された製品がいかなる国において使用されたときも、そのデカルに記入された所定の情報を理解できるように、その情報を文字ではなく、記号や絵などによって表現することもある。例えば、製品の取り扱いを説明する所定の情報を絵によって表わし、いかなる国の人もこれを理解できるようにするのである。このようにすれば、各国ごとのデカルを用意しなくとも、同じデカルを各国の製品に貼着して使用でき、デカルの製造上のコストを低減できる。ところが、このような場合、そのデカルに、例えば日本語で「このシートが貼られた部品は、このシートを剥がさずにそのままリサイクルできます」なる文言の表示をなしても意味がない。日本語を理解できない者には、その内容を伝えることができないからである。
【００１０】
上述のように、デカルとこれが貼られた部品を互いに相溶性のある材料で構成し、しかもそのデカルに当該デカルを剥がすことなく部品を再生処理できる旨の文字情報を表示することは大変有用ではあるが、場合によっては、このような文字情報をデカルに表示することができないことがある。
【００１１】
【発明が解決しようとする課題】
本発明は、上述した観点よりなされたものであって、その目的とするところは、そのデカルを部品から剥がすことなく、その部品を再生処理できる旨の文字情報をデカルに表示しなくとも、これと同じ目的を達成できる冒頭に記載した形式の製品を提供することにある。
【００１２】
【課題を解決するための手段】
本発明は、上記目的を達成するため、熱可塑性樹脂より成るリサイクル可能な部品を有する製品において、該部品に対して相溶性を有する熱可塑性樹脂より成り、かつ前記部品に貼着されていて、該部品から剥離することなく当該部品を再生処理できることを示すマークが表示されているデカルと、該マークの意味する内容が表示された表示部材とを具備する製品を提案する。
【００１３】
その際、上記表示部材が、前記マークの意味する内容を表面に表示して成るシート状部材によって構成されていると有利である。
【００１４】
また、上記構成において、前記デカルと前記シート状部材が、同一のリサイクル可能な部品に貼着され、該シート状部材も前記部品に対して相溶性を有する熱可塑性樹脂で構成されていると有利である。
【００１５】
さらに、上記各構成において、前記シート状部材には、前記マークの意味する内容以外の情報も表示されていると有利である。
【００１６】
また、上記各構成において、前記シート状部材は、前記デカルが貼着されたリサイクル可能な部品と、その他の部品の少なくとも一方に離脱可能に取り付けられていると有利である。
【００１７】
さらに、上記各構成において、前記シート状部材が、製品の内部側に設けられていると有利である。
【００１８】
また本発明は、上記目的を達成するため、熱可塑性樹脂より成るリサイクル可能な部品を有する製品において、該部品に対して相溶性を有する熱可塑性樹脂より成り、かつ前記部品に貼着されていて、該部品から剥離することなく当該部品を再生処理できることを示すマークが表示されているデカルを具備し、前記リサイクル可能な部品と、その他の部品の少なくとも一方に、前記マークの意味する内容が直に表示されている製品を提案する。
【００１９】
その際、前記リサイクル可能な部品と、その他の部品の少なくとも一方に、前記マークの意味する内容が直に印刷によって表示されていると有利である。
【００２０】
さらに、前記リサイクル可能な部品と、その他の樹脂製の部品の少なくとも一方に、前記マークの意味する内容が、当該部品への成形によって表示されていると有利である。
【００２１】
【実施例】
以下、本発明の実施例を図面に従って詳細に説明する。
【００２２】
図１はリサイクル可能な部品を有する製品の一例である複写機を示し、この複写機は、その本体の外装カバー１、その本体フレーム（図示せず）に開閉自在に枢着された前ドア２、本体上部に設けられた原稿押え用の圧板３、給紙トレイ１０、転写紙搬送部１１、本体内部に収容された図示していない各種要素などの多数の部品から構成されている。転写紙搬送部１１は、給紙トレイ１０から給紙された転写紙（図示せず）が上方に搬送され、図示していない転写部に導かれる部分である。ここでは、リサイクル可能な部品の一例として前ドア２を取り上げ、かかる前ドア２に本発明を適用した具体例を明らかにする。
【００２３】
前ドア２は、図１に実線で示した閉位置と鎖線で示した開位置との間を回動開閉自在に本体フレームに支持されており、かかる前ドア２より成る部品には、少なくとも一枚のデカルが貼着されている。図１の例では、前ドア２の表面に第１のデカル４が貼り付けられ、また前ドア２の裏面には第２のデカル５が貼着されている。かかるデカル４，５は、前述のように、可撓性又は剛性を有しているシート、フィルム、又は薄い板状の部片より成り、その表面に所定の情報が表示されている。
【００２４】
この例では、第１のデカル４に、図２に示す如く消耗品の注文先と複写機の修理の連絡先が表示され、第２のデカル５には、図３に示すように搬送トラブルを起こした転写紙の除去手順を説明する画像情報が記入されている。すなわち、転写紙搬送部１１において、転写紙の紙詰まりが発生したとき、ユーザは前ドア２を開き、その裏面に貼着された第２のデカル５に示された情報に従って、転写紙搬送部１１を矢印Ａ方向に開き、詰まった転写紙を除去することができる。また、この部分に詰まった転写紙がないときは、同じデカル５の表示情報に従って給紙トレイ１０を引き出して詰まった転写紙を取り出すことができる。
【００２５】
上述した複写機を使用し尽くしたとき、この複写機はユーザの元からリサイクル業者のところに搬入され、ここで解体される。そして再利用可能な部品は再生されて再使用される。
【００２６】
ここで複写機の再生処理を行いやすくするため、その部品の一例である前ドア２は、熱可塑性樹脂により構成され、これに貼着された第１及び第２のデカル４，５も熱可塑性樹脂より成る。しかも、前ドア２とデカル４，５は、互いに相溶性のある熱可塑性樹脂によって構成されている。このように、リサイクル可能な熱可塑性樹脂より成る部品に貼着されたデカルは、その部品に対して相溶性を有する熱可塑性樹脂によって構成されているのである。
【００２７】
上述した構成によれば、前ドア２に両デカル４，５を貼り付けたまま、これを例えば図示していないシュレッダによって、例えば一辺が５ｍｍ程のペレットに破砕し、これを加熱して溶融すれば、前ドア２を構成する樹脂材料と、デカル４，５を構成する樹脂材料とが互いに良好に溶融し合うので、かかる材料を、図示していない成形機によって所定の部品に成形すれば、充分に使用に耐え得る特性を備えた部品を再生することができる。
【００２８】
一般に、複写機の外装カバー１や前ドア２は、ＰＳ（ポリスチレン）、ＰＰＥ（ポリフェニレンエーテル）、ＡＢＳ（アクリル・ブタジエン・スチレン）、又はＰＰＯ（ポリフェニルオキサイド）などの熱可塑性樹脂により構成されることが多いが、これらの樹脂材料より成る前ドア２に貼着されるデカル４，５としては、次に例示する樹脂材料を使用することが好ましい。
【００２９】
ＰＳより成る前ドア２に対しては、これと相溶性のある例えばＰＣ（ポリカーボネイト）、又はＰＭＭＡ（メタクリル樹脂）のほか、この前ドア２の材料と同じＰＳより成るデカル４，５を有利に用いることができる。またＰＰＥより成る前ドア２に対しては、これと相溶性のある例えばＰＳ、ＰＥＴ（ポリエチレンテレフタレート）、ＡＢＳ、ＰＣ、又はＰＭＭＡのほか、この前ドア２の材料と同じＰＰＥより成るデカル４，５を有利に使用できる。さらに、ＡＢＳより成る前ドア２に対しては、これと相溶性のある例えばＰＳ、ＰＥＴ、ＰＣ、又はＰＭＭＡのほか、この前ドア２の材料と同じＡＢＳより成るデカル４，５を有利に使用できる。またＰＰＯより成る前ドア２に対しては、これと相溶性のある例えばＰＳ、又はＡＢＳのほか、その前ドア２の材料と同じＰＰＯより成るデカル４，５を有利に用いることができる。
【００３０】
デカルにその材質を表示しておくこともでき、図２及び図３に示したデカル４，５には、その材質を示す「ＰＳ」なる表示がなされている。
【００３１】
前ドア２とこれに貼着されるデカル４，５を、上に例示した如き熱可塑性樹脂によって構成することにより、かかるデカル４，５を前ドア２から剥がすことなく、これをそのまま再生処理しても、その再生品の特性、例えば機械的な強度（曲げ強度や衝撃強度）などが大きく低下することはない。このようにして再生コストを低減でき、再生成形品のコストを低減することができるのである。
【００３２】
ここで、複数の要素、上述した例では前ドア２とデカル４，５とを構成する熱可塑性樹脂が、互いに相溶性を有しているとは、上述したところから理解できるように、これらを再生して得た成形品が、その本来の目的に使用したとき、その使用に耐え得る特性を維持できる程度に、再生前の各要素を構成する各熱可塑性樹脂が互いに相溶性を有していることを意味している。
【００３３】
前ドア２とデカル４，５が互いに相溶性のある熱可塑性樹脂から成るので、かかるデカル４，５を前ドア２に貼着するとき、熱融着によって両者を貼着することが可能であり、この場合には両者の貼着のために接着剤を使用する必要はないが、接着剤を使用してデカル４，５を前ドア２に貼着することもできる。その際、使用する接着剤の量は一般に極く少量であるため、その接着剤と、前ドア２及びデカル４，５との相溶性について特に考慮しなくともよいが、この接着剤として、前ドア２とデカル４，５とに対して相溶性のある熱可塑性樹脂を用いると特に有利である。すなわち、デカルを部品に貼着する接着剤として、当該部品とデカルとに対して相溶性のある熱可塑性樹脂を用いるのである。かかる構成によれば、デカル４，５を剥がすことなく前ドア２などの部品を前述のように破砕して溶融したとき、接着剤を含めたその全体の相溶性が一段と高められ、再生された成形品の特性低下をより確実に防止することができる。
【００３４】
前ドア２とデカル４，５を接合する熱可塑性樹脂の接着剤としては、例えばＰＭＭＡを使用でき、かかる接着剤は、例えばＰＳ、ＰＰＥ、ＡＢＳなどに対して相溶性が良好であり、よってＰＭＭＡを接着剤として使用したときは、ＰＳ、ＰＰＥ、又はＡＢＳなどの樹脂によって前ドア２とデカル４，５をそれぞれ構成することが好ましい。
【００３５】
上述のように、デカル４，５が貼着された前ドア２は、そのドアからデカル４，５を剥がすことなく再生処理できるのであるが、その事実をリサイクル業者に報せる必要がある。そこで、その各デカル４，５自体に、例えば「このシートが貼られた部品は、このシートを剥がすことなくそのままリサイクルできます」なる文言を表示しておくことも考えられるが、先に説明したように、このような文字情報を各デカルに表示できないことがある。例えば、図２に示した第１のデカル４のように、そのサイズが小さいときは、これに上述したような文言を表示するスペースがなく、これを表示することはできない。また図３に示した第２のデカル５は、国内外の多国で共通使用できるように、所定の情報が絵と記号のみで表現されており、従ってこのデカルにも日本語で「このシートが貼られた部品は、このシートを剥がすことなくそのままリサイクルできます」なる表示をなすことは適当ではない。
【００３６】
そこで、上記デカル４，５には、図２及び図３に符号Ｍを付して示したマークが表示されており、このマークＭは、デカルを部品から剥離することなくその部品を再生処理できることを示している。
【００３７】
上述のように、各デカル４，５には、これを剥がすことなく前ドア２を再生処理できるマークＭが記入されているのであるが、そのマークの意味するところを、全てのリサイクル業者が理解できるとは限らない。そこで、図１に示した複写機には、上記マークＭの意味する内容が表示された表示部材が設けられており、本例ではこの表示部材が、図１及び図４に示すように、マークＭの意味する内容を表面に表示して成るシート状部材７によって構成されている。すなわち、このシート状部材７には、マークＭが表示されていると共に、「このマークが表示されたシート（すなわち、デカル）は剥がさずに、そのシートが貼られた部品をリサイクルできます」なる日本語の文言が表示されている。
【００３８】
上記構成によれば、リサイクル業者は、そのシート状部材７の記載内容と、前ドア２に貼着されたデカル４，５に表示されたマークＭとを確認することによって、迷うことなく、そのデカル４，５を剥がすことなく前ドア２を再生処理することができる。またこのシート状部材７には、複写機が使用される国別の言語、例えば英語、独語、仏語などによって、上記内容の表示をなすことができ、或いは日本語とこれらの外国語を併記してもよい。
【００３９】
図２及び図３に示したマークＭと同じマークの表示されたデカルは、前ドア２以外の部品にも貼着でき、通常は、１つの複写機にマークＭの付された多数のデカルが貼り付けられるが、これらのデカルよりも少数、例えば１枚のシート状部材７を複写機に設けるだけで、各デカルに表示されたマークＭの意味するところをリサイクル業者に報せることができる。
【００４０】
マークＭの意味を示す表示部材として、図１及び図４に示した如きシート状部材７以外の部材、例えば複写機の内部に吊り下げられる札状部片などを使用してもよいが、図４に示した如きシート状部材７を用い、このシート状部材７を、複写機を構成する部品、例えば図１に示す如く前ドア２に貼着すると、複写機の長期に亘る使用期間中に、そのシート状部材が紛失してしまうおそれをなくすことができる。
【００４１】
また図１に示したように、マークＭの記入されたデカル４，５とシート状部材７を、同一のリサイクル可能な部品、すなわち前ドア２の異なる部位にそれぞれ貼着すると、リサイクル業者は、デカル４，５に表示されたマークＭの意味するところを、容易かつ即座に理解することができ、再生処理作業の能率を高めることができる。
【００４２】
このようにデカル４，５とシート状部材７を同じ部品、本例では前ドア２に貼着するときは、そのシート状部材７も、これが貼着された前ドア２に対して相溶性を有する熱可塑性樹脂によって構成し、その貼着のために使用する接着剤も前ドア２と相溶性のあるものを用いることが望ましい。デカル４，５と全く同様に、シート状部材７も前ドア２と相溶性のある材料から構成するのである。このようにすれば、このシート状部材７も前ドア２から剥がすことなく、その前ドア２を再生処理し、高品質な再生成形品を得ることができる。
【００４３】
また図５に示したシート状部材７ａにも、マークＭの意味する内容、すなわち「このマークが表示されたシートは剥がさずに、そのシートが貼られた部品をリサイクルできます」なる文言が示されているが、それ以外の情報も記入され、図５に示した例では、複写機本体内の図示していない現像装置にトナーを補給する同じく図示していないトナーボトルをその現像装置に装填セットする際、そのトナーボトルをよく振ってから機械にセットすべき旨の情報が表示されている。かかるシート状部材７ａが、例えば図１に示した前ドア２の裏面に前述のシート状部材７の代りに貼着される。
【００４４】
このシート状部材７ａは、マークＭの意味内容を示すと共に、複写機の要素の使用法などの情報を表示するデカルとしての機能も兼ねたものであり、この構成によって、シート状部材とデカルを別々に構成した場合よりも、そのコストを下げることができる。かかるシート状部材７ａも、これが貼着される部品、例えば前ドア２と相溶性のある熱可塑性樹脂によって構成し、しかもこれを貼着するための接着剤としても、前ドア２と相溶性のあるものを用いれば、シート状部材７ａを前ドア２から剥がすことなく、そのドア２を再生処理しても、高品質な再生成形品を得ることができる。
【００４５】
また部品からデカルを剥がすことなく、その部品を再生処理できることを示すマークの意味する内容の表示形態は、図４及び図５に示したものに限らず、他の各種の態様を採用することもできる。例えば、図６に示すシート状部材７ｂのように、「このシートを剥がさずにリサイクルできます」なる簡明な表現によって、マークＭの意味する内容を表示することもできる。
【００４６】
またデカルを部品から剥離することなく、その部品を再生処理できることを示すマークＭとして、図２乃至図６に、３本の矢印を三角形状に配列したものを示したが、これはあくまでも一例であり、他の適宜なマークを使用することもできる。例えば図７に示した如きマークＭを、部品からデカルを剥離することなく、その部品を再生処理できることを示すマークとして採用することができる。その際には、図７に示したマークＭが図２乃至図６に示したデカル４，５又はシート状部材７，７ａ，７ｂに表示されることになる。
【００４７】
また、図４乃至図６に示した如きシート状部材７，７ａ，７ｂを、デカル４，５が貼着されたリサイクル可能な部品である前ドアと、その他の部品の少なくとも一方に容易に離脱できるように取り付けることもできる。例えば、図８に示すように、前ドア２の裏面に、一対のレール状の保持部８，８を設け、これらの保持部８，８にシート状部材７，７ａ又は７ｂを嵌着保持しておくのである。この構成によれば、前ドア２の再生処理を行う前に、そのシート状部材７，７ａ又は７ｂを保持部８，８から容易に取り外すことができるので、シート状部材７，７ａ，７ｂを前ドア２に対して相溶性のない材料、例えば厚紙や金属プレートなどから構成することもでき、その材質の選択の自由度を拡大できる。
【００４８】
ところで、図４乃至図６、及び図８に示したシート状部材７，７ａ，７ｂは、複写機などの製品の外面を含む適宜な部位に取り付けることができるが、そのシート状部材７，７ａ，７ｂを製品の内部側に設けると、その製品の通常の使用時にシート状部材７，７ａ，７ｂが内部に隠されるので、製品の見ばえ低下を阻止できる。前述の各実施例においても、シート状部材７，７ａが、図１に示す如く前ドア２の裏面、すなわち前ドアを閉じた状態では複写機の内部側となる部位に設けられている。
【００４９】
以上説明した各実施例においては、デカル４，５に表示されたマークＭの意味をシート状部材７，７ａ，７ｂより成る表示部材に示したが、これに代え、マークＭの示されたデカルが貼着されているリサイクル可能な部品と、その他の部品の少なくとも一方に、マークＭの意味する内容の表示を直になすこともできる。例えば、デカル４，５の貼着された前ドア２に直にマークＭの意味する表示、例えば「マークＭ」と、「このマークが表示されたシートは剥がさずにそのシートが貼られた部品をリサイクルできます」又は「このシートを剥がさずにリサイクルできます」なる表示をなすのである。
【００５０】
その際、デカル４，５の貼着された前ドア２などのリサイクル可能な部品と、その他の部品の少なくとも一方に、マークＭの意味する内容を印刷によって直に表示することができる。例えば、デカル４，５の貼着された前ドア２の裏面へ上記表示を印刷するのである。その印刷法としては、ハードコートや印刷を施した樹脂シートを、前ドア２などの樹脂部品と一体的にインモールド成形する方法や、スタンプなどの印刷方法も採用できる。かかる構成によれば、専用のシート状部材７，７ａ，７ｂが不要となり、製品のコストを低減できる。このように図５及び図６に示したシート状部材７ａ，７ｂを用いないときは、「トナーボトル…して下さい」なる情報は、別のデカルに表示されることになる。
【００５１】
また、デカル４，５の貼着された前ドア２などのリサイクル可能な部品と、その他の樹脂製の部品の少なくとも一方に、マークＭの意味する内容を、その部品への成形によって表示することもでき、この構成によっても、上述したところと同様に、専用のシート状部材７，７ａ，７ｂが不要となるので、製品のコストを低減できる。例えば、前ドア２を成形して製造する際、その成形型によって前ドア２の裏面に、マークＭの意味する内容を彫り込むのである。このように極く簡単に図４乃至図７に示した如きマークＭの意味を表わした表示を前ドアなどの部品に成形することができる。
【００５２】
以上、リサイクル可能な部品を有する製品の一例として複写機を示したが、本発明は、その他の電子機器や、自動車、容器などのいかなる製品にも適用できるものである。
【００５３】
【発明の効果】
請求項１に記載の構成によれば、部品にデカルを貼着したまま、その部品を再生処理しても、再生品の特性が大きく低下することを阻止でき、しかもデカルを部品から剥がさずにリサイクルできる文言を、そのデカルに表示しなくとも、その事実をリサイクル業者に理解させることができる。
【００５４】
請求項２に記載の構成によれば、簡単な構成で上記効果を奏することができる。
【００５５】
請求項３に記載の構成によれば、シート状部材も部品から剥がすことなく、その部品を再生処理し、高品質な再生品を得ることができる。
【００５６】
請求項４に記載の構成によれば、シート状部材にデカルの機能を持たせたので、その総コストを低減できる。
【００５７】
請求項５に記載の構成によれば、シート状部材の材質の選択の自由度を拡大できる。
【００５８】
請求項６に記載の構成によれば、シート状部材によって製品の見ばえが低下する不具合を阻止できる。
【００５９】
請求項７に記載の構成によれば、シート状部材を用いることなく、デカルに表示されたマークの意味をリサイクル業者に理解させることができる。
【００６０】
請求項８に記載の構成によれば、シート状部材を用いることなく、低コストで、デカルに表示されたマークの意味をリサイクル業者に理解させることができる。
【００６１】
請求項９に記載の構成によれば、シート状部材を用いることなく、低コストで、デカルに表示されたマークの意味をリサイクル業者に理解させることができる。
【図面の簡単な説明】
【図１】リサイクル可能な部品を有する製品の一例である複写機を示す外観斜視図である。
【図２】図１に示した複写機の前ドアに貼着された第１のデカルの正面図である。
【図３】図１に示した複写機の前ドアに貼着された第２のデカルの正面図である。
【図４】図１に示した複写機の前ドアの裏面に貼着されたシート状部材の正面図である。
【図５】他のシート状部材を示す正面図である。
【図６】さらに他のシート状部材を示す正面図である。
【図７】マークの他の例を示す図である。
【図８】前ドアに容易に離脱可能に取り付けられたシート状部材を示す断面図である。
【符号の説明】
４  デカル
５  デカル
７  シート状部材
７ａ  シート状部材
７ｂ  シート状部材
Ｍ  マーク
【図１】
0003569033.tif 000002
【図２】
0003569033.tif 000003
【図３】
0003569033.tif 000004
【図４】
0003569033.tif 000005
【図５】
0003569033.tif 000006
【図６】
0003569033.tif 000007
【図７】
0003569033.tif 000008
【図８】
0003569033.tif 000009